(57)【要約】      （修正有）【課題】便座の下面に触れることなく便座を便器の上方に持ち上げることができる便座及びこれを備える便器を提供する。【解決手段】便座２０は、便器ボール１０の上面１０ｂに対向する下面を有する底部２２及び底部の外縁の少なくとも一部から便器ボール１０の上面と逆の方向に離間して設けられる上部２１を備える。上部２１と底部２２との間に手指を指し入れ、上部２１にかけることで、便座の底部２２の下面に触れることなく、便座を上方に持ち上げることができる。【選択図】図２
0003202640.tif 000002
【実用新案登録請求の範囲】
【請求項１】
洋式便器に備え付けられる便座であって、
便器の上面に対向する下面を有する底部と、
前記底部の外縁の少なくとも一部から前記便器の上面と逆の方向に離間して設けられる上部と、
を備えることを特徴とする便座。
【請求項２】
前記便器の後側で該便器に対して前記便座を傾動可能に固定する固定部をさらに備え、
前記上部は、前記便器の前側を含んで左側から右側の間の少なくとも一部の範囲内に設けられることを特徴とする、請求項１に記載の便座。
【請求項３】
前記底部と前記上部との間に前記便器の前側に向かって開く凹部が形成されることを特徴とする、請求項１又は２に記載の便座。
【請求項４】
前記上部の先端は、前記底部の先端よりも前側に設けられることを特徴とする、請求項１から３のいずれか一項に記載の便座。
【請求項５】
請求項１から４のいずれか一項に記載の便座が傾動可能に固定された便器。
【考案の詳細な説明】
【技術分野】
【０００１】
本考案は、便座及びこれを備える便器に関する。
【背景技術】
【０００２】
洋式便器を使用する際、便座を持ち上げることがある。このとき、手指を便座の下面に触れることには不潔感を感じる者も多い。
【０００３】
そこで、特許文献１には、持ち手を設け、これに手指を掛けて便座を持ち上げるようにした便座が開示されている。しかし、持ち手を設けることは容易でない。
【先行技術文献】
【特許文献】
【０００４】
【特許文献１】特開２０１２−０９５９７８号公報
【考案の概要】
【考案が解決しようとする課題】
【０００５】
本考案は、便座の下面に触れることなく便座を便器の上方に持ち上げることができる便座及びこれを備える便器を提供することを課題とする。
【課題を解決するための手段】
【０００６】
本考案は、洋式便器に備え付けられる便座であって、便器の上面に対向する下面を有する底部と、底部の外縁の少なくとも一部から便器の上面と逆の方向に離間して設けられる上部と、を備える便座である。
【０００７】
これによれば、便器の上面に対向する下面を有する底部とこの底部の外縁の少なくとも一部から便器の上面と逆の方向に離間して設けられる上部との間に手指を指し入れ、上部にかけることで、便座の底部の下面に触れることなく、便座を便器の上方に持ち上げることができる。
【０００８】
本考案の便座は、便器の後側で該便器に対して便座を傾動可能に固定する固定部をさらに備え、上部は、便器の前側を含んで左側から右側の間の少なくとも一部の範囲内に設けられることを特徴とする。
【０００９】
これによれば、上部は、便器の前側を含んで左側から右側の間の少なくとも一部の範囲内に設けられることで、便器の使用者が手指を底部と上部との間に入れやすくなる。
【００１０】
本考案の便座は、底部と上部との間に便器の前側に向かって開く凹部が形成されることを特徴とする。
【００１１】
これによれば、底部と上部との間に形成された便器の前側に向かって開く凹部に手指を指し入れ、上部にかけることで、便座を便器の上方に持ち上げることができる。
【００１２】
本考案の便座は、上部の先端は、底部の先端よりも前側に設けられることを特徴とする。
【００１３】
これによれば、上部が突出して便器の使用者が手指を底部と上部との間にさらに入れやすくなる。
【００１４】
本考案の便器は、本考案のいずれかの便座が傾動可能に固定された便器である。
【考案の効果】
【００１５】
本考案の便座及びこれを備えた便器によれば、便座の下面に触れることなく便座を便器の上方に持ち上げることが可能となる。
【図面の簡単な説明】
【００１６】
【図１】図１は、便座及びこれを備える便器の構成を示す図である。
【図２】図２は、便座の先端の構成を示す図である。
【考案を実施するための形態】
【００１７】
以下、本考案の一実施形態について説明する。
【００１８】
図１に、本実施形態に係る便座及びこれを備える便器１の構成を示す。図１（Ａ）及び図１（Ｂ）は、それぞれ上面視及び側面視においてその構成を示す。便器１は、一例として洋式水洗式の便器であり、大別して、便器ボール１０及び便座２０を含んで構成される。なお、図面左側及び右側を便器１の前側及び後側とする。
【００１９】
便器ボール１０は、上面１０ｂにより区画される上面視略半楕円状の開口を上側に向け、内部に空間１０ａが形成されたボール形状の部材であり、支持部材３０を用いて床面Ｆ上に設置されている。便器ボール１０は、貯水タンク（不図示）に貯えられた洗浄水を便器ボール１０に流すことで、その内部が洗浄される。
【００２０】
なお、便器ボール１０内で洗浄水を噴出して肛門を洗浄する肛門洗浄器具（不図示）を備えてもよい。
【００２１】
便座２０は、便器ボール１０の上面１０ｂ上に配して使用者が腰をかける部材であり、上面視において半楕円状の外形を有し、内部に楕円形状の開口２０ａが形成されている。便座２０は、固定具２３及び支持部２５を有する。固定具２３は、便座２０の後端の２か所に設けられ、便器１の後側で便器ボール１０の後部上面に対して便座２０を傾動可能に固定する。支持部２５は、便座２０の下面の複数箇所に固定され、または便座２０の下面の複数箇所が下方に突出して形成され、その下端を便器ボール１０の上面に当接して、便器ボール１０上で便座２０を支持する。
【００２２】
図２（Ａ）に、便座２０の前側先端の構成を拡大して示す。便座２０には、便器ボール１０の上面１０ｂに対向する下面を有する底部２２、底部２２の外縁の前側から上面１０ｂと逆の方向、すなわち上方に離間して設けられる上部２１を有する。上部２１と底部２２との間には便器１の前側に向かって開く凹部２０ｂが形成される。それにより、上部２１と底部２２との間、すなわち凹部２０ｂの間に手指を指し入れ、上部２１にかけることで、便座２０の底部の下面に触れることなく、便座２０を便器１の上方に持ち上げることができる。
【００２３】
なお、凹部２０ｂ、すなわちこれを形成する上部２１は、便器１の前側を含んで左側（図１（Ａ）における上側）から右側（図１（Ａ）における下側）の間の一部又は全部の範囲内に設けてもよい。それにより、便器１の使用者が手指を底部２２と上部２１との間の凹部２０ｂに入れやすくなる。
【００２４】
特に肛門洗浄器具（不図示）を便器ボール１０に設けた場合、便器ボール１０内から洗浄水が飛散して、凹部２０ｂを汚すおそれがある。ここで、洗浄水は、便座２０の下面により遮られるため、図中に便器ボール１０の上面１０ｂの内端から延びる基準線Ｌより上側に飛散することはない。
【００２５】
そこで、便座２０の上部２１は、基準線Ｌより上側に設けることとする。それにより、便器ボール１０内から洗浄水が上部２１に飛散してこれを汚すことはない。
【００２６】
なお、便座２０の上部２１は、基準線Ｌより上側であれば、任意の位置に設けてよい。図２（Ａ）に示すように、上部２１と底部２２とで先端の位置を揃える必要はなく、例えば、図２（Ｂ）に示すように上部２１の先端を底部２２の先端より前側に設けてもよいし、図２（Ｃ）に示すように上部２１の先端を底部２２の先端より後側に設けてもよい。図２（Ｂ）のように設けると、手指で上部を操作しやすい。
【００２７】
以上詳細に説明したように、本実施形態の便座２０は、便器ボール１０の上面１０ｂに対向する下面を有する底部２２及び底部２２の外縁の少なくとも一部から便器ボール１０の上面と逆の方向に離間して設けられる上部２１を備える。上部２１と底部２２との間に手指を指し入れ、上部２１にかけることで、便座２０の底部２２の下面に触れることなく、便座２０を上方に持ち上げることができる。
【００２８】
また、本実施形態の便器１は、上述の便座２０が傾動可能に固定されている。
【産業上の利用可能性】
【００２９】
本考案の便座及びこれを備えた便器は、便座の下面に触れることなく便座を便器の上方に持ち上げるのに好適である。
【符号の説明】
【００３０】
１    便器
１０    便器ボール
１０ａ  空間
１０ｂ  上面
２０    便座
２０ａ  開口
２０ｂ  凹部
２１    上部
２２    底部
２３    固定具
２５    支持部
３０    支持部材
【図１】
0003202640.tif 000003
【図２】
0003202640.tif 000004